(57)【要約】【課題】デジタル放送からのデータを取得したものとユーザーが興味を持つキーワードが比較でき、容易にユーザーが所望する画像が表示できるテレビジョン放送受信機を提供する。【解決手段】受信したテレビ放送信号を選局する選局部３と、表示出力部５と、キーワード記憶部１３と、入力キーワード検索処理部１０とを備え、キーワードに合致もしくは類似したデータが受信したテレビ放送信号にあるのを検出したとき、複数画面表示モードに移行し、複数画面のうちの一の画面に合致又は類似したデータに対応する静止画を表示して、ユーザーが求めている情報を画面に表示させるテレビジョン放送受信機。合致又は類似したデータに対応する静止画が複数であるとき、最新の静止画を表示し、他の静止画は記憶する。合致又は類似したデータに対応する静止画が複数であるとき、最新の静止画を表示し、他の静止画は記憶する。【選択図】図１
2009135882.tif 000002
【特許請求の範囲】
【請求項１】
受信したテレビ放送信号を選局する選局部と、表示出力部と、キーワード記憶部と、キーワード検索処理部とを備え、
キーワードに合致もしくは類似したデータが受信したテレビ放送信号にあるのを検出したとき、複数画面表示モードに移行し、かつ、複数画面のうちの一の画面に合致又は類似したデータに対応する静止画を表示して、ユーザーが求めている情報を画面に表示させることを特徴とするテレビジョン放送受信機。
【請求項２】
受信したテレビ放送信号を選局する選局部と、表示出力部と、キーワード記憶部と、キーワード検索処理部と、装飾画像処理部とを備え、
キーワードに合致もしくは類似したデータが受信したテレビ放送信号にあるのを検出したとき、合致又は類似したデータに対応する映像部分を装飾して表示して、ユーザーが求めている情報を画面に表示させることを特徴とするテレビジョン放送受信機。
【請求項３】
前記合致又は類似したデータに対応する静止画が複数であるとき、最新の静止画を表示し、他の静止画は記憶する請求項１又は２に記載のテレビジョン放送受信機。
【請求項４】
前記合致又は類似したデータに対応する静止画を外部に出力する外部出力部を備える請求項１又は２に記載のテレビジョン放送受信機。
【請求項５】
ユーザーのキーワード入力を受付ける入力部を備え、
ユーザーが登録したキーワードに合致もしくは類似したデータが受信したテレビ放送信号にあるのを検出する請求項１又は２に記載のテレビジョン放送受信機。
【請求項６】
キーワード入手先からキーワードを入手するキーワード入手部を備え、
キーワード入手先から入手したキーワードに合致もしくは類似したデータが受信したテレビ放送信号にあるのを検出する請求項１又は２に記載のテレビジョン放送受信機。
【請求項７】
ユーザーのキーワード入手先情報入力を受付けるキーワード入手先入力部を備え、
ユーザーが入力したキーワード入手先情報を基に、キーワード入手先から入手したキーワードに合致もしくは類似したデータが受信したテレビ放送信号にあるのを検出する請求項６記載のテレビジョン放送受信機。
【請求項８】
キーワード入手先情報を記憶するキーワード入手先記憶部を備え、
記憶するキーワード入手先情報を基に、キーワード入手先から入手したキーワードに合致もしくは類似したデータが受信したテレビ放送信号にあるのを検出する請求項６記載のテレビジョン放送受信機。
【発明の詳細な説明】
【技術分野】
【０００１】
本発明は、テレビジョン放送受信機（以下、テレビジョン受信機、又は単にテレビともいう。）に関し、特にデジタル放送を受信し、テレビ視聴ユーザーが興味をもっていることをキーワードとしてあらかじめ登録・設定し、あるいはキーワード入手先からキーワードを入手し、受信したデジタル放送のデータ信号から得られるキーワードと合致（もしくは類似）した場合に、キーワードに関連した静止画面を自動的に現映像とともに２画面などの表示をすることで、ユーザーの興味をもつ画像を表示することを実現するデジタルテレビジョン放送受信機に関する。
【背景技術】
【０００２】
従来技術として、テレビ視聴ユーザーが、視聴している任意の時の映像を表示させておきたいというときに、その場面を、２画面として現在の映像とともに、静止画を表示することが出来るテレビジョンが知られているが、ユーザーがマニュアルで操作しなければならなかった。
【０００３】
また、ユーザーがキーワードを登録しておくことにより、受信した放送信号から該キーワードを検出した場合に、放送番組に画像、音声、文字などを合成して加工し、画面に表示して、臨場感をあげたり雰囲気を盛り上げたりするという従来手法があった。
しかし、ユーザーが、任意の場面を静止画表示させたいときに、意図的に静止画表示命令をださなければいけないが、それが命令を出すタイミングがずれて意図しない場面であったり、そもそも命令を出すのを忘れてしまったりで、所望の静止画表示が得られないという問題があった。また、興味のあるキーワードを登録したものの、キーワードの意味がわからない場合もあるため、静止画命令すらすることができない、という問題があった。
【０００４】
また、キーワード情報から、画面加工が行なわれたとしても、そもそもユーザーが、その画面を見逃してしまっては意味がなかった。また、見ていたとしても、一瞬の映像であった場合にも、見逃してしまうという問題があった。
【０００５】
特許文献１には、ユーザーがキーワードを登録しておくことにより、受信した放送信号から該キーワードを検出した場合に、放送番組に画像、音声、文字などを合成して加工し、画面に表示して、臨場感をあげたり雰囲気を盛り上げたりすることが提案されている。
しかしながら、キーワード情報から、画面加工が行なわれたとしても、そもそもユーザーが、その画面を見逃してしまっては意味がなかった。また、見ていたとしても、一瞬の映像であった場合にも、見逃してしまうという問題があった。
【特許文献１】特開２００５−２８６９６６号公報
【発明の開示】
【発明が解決しようとする課題】
【０００６】
また、以前より、インターネット上でのユーザーが行うキーワード検索が盛んに行われており、近年では、これらの検索されたキーワードがランキング化されるようになり、世間の好み、嗜好を現す指標として使用されるようになっており、いくつかのインターネット検索ランキングサイトが知られている。
一方、テレビ視聴において、ユーザーがあらかじめテレビシステムに、キーワードを登録しておくことにより、受信した放送信号から該キーワードを検出した場合に、放送番組に画像、文字などを合成して加工し、画面に表示したりする、または、自動的に２画面表示モードに移行し、一方をその合致したときの静止画を表示することによりユーザーが求めている情報を静止画として認識することができる、という手法が提案されている。
しかし、これらの手法では、能動的にユーザーがキーワードを登録しなければならないため、世間一般の最新注目キーワードをユーザーが知らない場合には、それらを登録することができず、それにより、テレビ上でそのキーワードが示すモノや人に対して、画面を加工して盛り上げたり、画面そのものを静止画として表示したり、ということが出来ず、ユーザーはそれらを視認する事が出来ない、という問題があった。ユーザーが能動的に知りたいキーワードの情報に対しては有効であるが、ユーザー自身は知らないものの、世間一般では流行となっている注目キーワードの情報を知るという場合に、有効ではないという問題があった。
【０００７】
本発明は、デジタル放送からのデータを取得したものとユーザーが興味を持つキーワードが比較でき、容易にユーザーが所望する画像が表示できるテレビジョン放送受信機を提供することを目的とする。
【課題を解決するための手段】
【０００８】
ユーザーがあらかじめ特定のいつくかのキーワードを登録する、あるいはキーワードを入手することにより、放送信号から得られるデータと合致もしくは類似した場合に、ユーザーが意図することなく、自動的に２画面表示モードに移行し、一方をその合致したときの静止画を表示することで、ユーザーが求めている情報を画面に表示させ、ユーザーはキーワードの関係する静止画を認識することが出来る。
【０００９】
すなわち、本発明は、受信したテレビ放送信号を選局する選局部と、表示出力部と、キーワード記憶部と、キーワード検索処理部とを備え、キーワードに合致もしくは類似したデータが受信したテレビ放送信号にあるのを検出したとき、複数画面表示モードに移行し、かつ、複数画面のうちの一の画面に合致又は類似したデータに対応する静止画を表示して、ユーザーが求めている情報を画面に表示させるテレビジョン放送受信機である。
【００１０】
また、本発明は、受信したテレビ放送信号を選局する選局部と、表示出力部と、キーワード記憶部と、キーワード検索処理部と、装飾画像処理部とを備え、キーワードに合致もしくは類似したデータが受信したテレビ放送信号にあるのを検出したとき、合致又は類似したデータに対応する映像部分を装飾して表示して、ユーザーが求めている情報を画面に表示させるテレビジョン放送受信機である。
【００１１】
そして、本発明は、前記合致又は類似したデータに対応する静止画が複数であるとき、最新の静止画を表示し、他の静止画は記憶するテレビジョン放送受信機である。
【００１２】
更に、本発明は、前記合致又は類似したデータに対応する静止画を外部に出力する外部出力部を備えるテレビジョン放送受信機である。
【００１３】
また、本発明は、ユーザーのキーワード入力を受付ける入力部を備え、ユーザーが登録したキーワードに合致もしくは類似したデータが受信したテレビ放送信号にあるのを検出するテレビジョン放送受信機である。
【００１４】
そして、本発明は、キーワード入手先からキーワードを入手するキーワード入手部を備え、キーワード入手先から入手したキーワードに合致もしくは類似したデータが受信したテレビ放送信号にあるのを検出するテレビジョン放送受信機である。
【００１５】
更に、本発明は、ユーザーのキーワード入手先情報入力を受付けるキーワード入手先入力部を備え、ユーザーが入力したキーワード入手先情報を基に、キーワード入手先から入手したキーワードに合致もしくは類似したデータが受信したテレビ放送信号にあるのを検出するテレビジョン放送受信機である。
【００１６】
また、本発明は、キーワード入手先情報を記憶するキーワード入手先記憶部を備え、記憶するキーワード入手先情報を基に、キーワード入手先から入手したキーワードに合致もしくは類似したデータが受信したテレビ放送信号にあるのを検出するテレビジョン放送受信機である。
尚、上記キーワード入手先としてインターネット上に開示されている情報提供サイト（ランキングサイト）などを利用することが望ましい。
【発明の効果】
【００１７】
本発明によれば、デジタル放送からのデータを取得したものとユーザーが興味を持つキーワードが比較できるので、容易にユーザーが所望する画像が表示できる。また、ユーザーがテレビ画面から目を離していたとしても、自動的に、ユーザーが所望する画像が表示できる。そして、ユーザーが実際にキーワードの意味がわからない場合、キーワードが関連する画像を表示することで、ユーザーは情報を知ることができる。更に、所望する画像が得られたとき、外部メモリなどを使用して、そのユーザーが興味をもつ画像を取得することができる。
加えて、インターネットからキーワード情報を取得することにより、ユーザー自身がキーワードの登録をする手間を省け、また、ユーザー自身が知らない流行についてもキーワードとして登録することができ、更に、キーワードが一致した画像を装飾することにより、ユーザーが容易にキーワードの内容を認知することができる。
【発明を実施するための最良の形態】
【００１８】
本発明を実施するための最良の形態を説明する。
本発明のテレビジョン受信機の実施例について、図面を用いて説明する。
【００１９】
実施例１を説明する。本実施例のテレビジョン受信機は、図１に示すように、デジタルチューナ部２、選局部３、映像信号処理部４、映像表示装置５、情報データ受信部６、受信データ処理部７、ＣＰＵ（システム制御）８、ＲＯＭ９、キーワード検索処理プログラム部１０、ＲＡＭ１１、受信データ格納部１２、キーワード記憶部１３、静止画映像格納部１４、リモコン受光部１６、通信バスライン１７を備えている。
【００２０】
本実施例のテレビジョン受信機の動作について説明する。アンテナ１で受信されたデジタル放送電波がチューナー部２に供給され、選局部３によってユーザーが所望するチャンネルが選択される。これら選択された信号が、信号処理部４にて所定の信号処理が施され、表示装置５で画像が表示される。ここで、信号処理部に供給される信号は、同じく情報データ受信部６に供給され、受信データ処理部７によって、ＲＡＭ１１に格納されうるデータ形式に処理され、受信データ格納部１２に格納される。
【００２１】
また、テレビ視聴ユーザーは、リモコン送信機１５からリモコン受光部を通して、興味を持っているキーワードを登録することが出来る。その登録されたキーワードは、ＲＡＭ１１内のキーワード記憶部１３に格納しておき、受信データ格納部１２で格納されたデータとともに、あらかじめＲＯＭ９に収録されているキーワード検索制御処理プログラム部１０によって、ユーザーが登録したキーワードとデジタル放送から取得したデータとの合致／類似検索を行なう。キーワード検索制御処理部１０で、合致／類似検索を行なった結果、信号処理部４にて、動画のリアルタイム映像とキーワードに合致した静止画像との２画面表示になるよう処理を施し、表示装置５にて表示される。同時に静止画像は、ＲＡＭ１１上の静止画映像格納部１４に収録され、視聴ユーザーの意向により、任意の静止画映像が呼ばれた場合に表示できるようにしておく。視聴ユーザーからの意向は、リモコン送信機１５からリモコン受光部を通して、受け取ることが出来る。それぞれの処理部は、通信バスライン１６を通して、ＣＰＵ８によってシステム制御が行なわれる。
【００２２】
本実施例のテレビジョン受信機は、デジタル放送を受信が可能で、そのデジタル放送信号からデータ信号を取得できるものとし、また、ユーザーは、興味を持っているキーワードを、テレビジョン受信機にあらかじめ設定することが出来る。また、設定したキーワードとデジタル放送から取得したデータとが合致もしくは類似した場合に、そのときの映像を静止画として自動的に画面に表示する。その場合、現映像も引き続き表示するため、ＰｉｎＰやＰｂｙＰなど２画面表示にする。
【００２３】
実施例１のテレビジョン放送受信機における処理の流れの一例について、図２を用いて説明する。この例は、ユーザーが「今日のできごと」「料理」「レシピ」をキーワードとして登録した場合である。
【００２４】
まず、ユーザーは、番組「今日のできごと」を視聴している（図２ａ）。キーワード「今日のできごと」を取得する。そして、番組内で、料理のレシピが紹介される（図２ｂ）。キーワード「料理」及び「レシピ」を取得する。したがって、キーワード登録と取得したキーワードとが合致し、２画面表示モードに移行し、その映像の静止画を右側に表示する（図２ｃ）。右画面の静止画表示はそのままで、左画面は受信した現映像を流し続ける（図２ｄ）。そして、ユーザーが静止画像を見終えたら、ユーザーの指示により、１画面表示モードに変更され、現画像に戻される（図２ｅ）。このようにして、ユーザーが事前に登録したキーワードに対応する静止画を複数画面表示の一つに流し続けることにより、ユーザーは、見逃すことなく、確実に確認することができる。
【００２５】
実施例１のテレビジョン放送受信機において、静止画が複数である場合における処理の流れの一例について、図３を用いて説明する。この例は、ユーザーが「今日のできごと」「料理」「レシピ」をキーワードとして合致した静止画表示後に、現映像が再度キーワードに合致した場合である。
【００２６】
まず、ユーザーは、２画面表示モードにおいて、番組「今日のできごと」を現映像として左画面に表示し、キーワード「料理」と「レシピ」に合致した画像を右画面に表示する（図３ａ）。そして、現映像において、再度キーワード合致を検出する（図３ｂ）。最新のキーワード合致映像で、静止画面を更新する（図３ｃ）。ユーザーからの命令があるまでは、右画面の静止画表示はそのままで、左画面は現映像を流し続ける（図３ｄ）。そして、ユーザーからの命令により、過去の静止画像を再度表示させることができる。この状態から、また最新の静止画像表示も可能である（図３ｅ）。このようにして、静止画が複数である場合において、キーワード合致した静止画表示後、現映像が再度キーワードに合致したときに、静止画面を更新することができる。
【００２７】
実施例２を説明する。本実施例のテレビジョン受信機は、図４に示すように、実施例１と比較して、外部機器制御部１８と外部記憶装置１９を備えている点で相違する。
【００２８】
実施例２のテレビジョン受信機の動作について、図４を用いて説明する。アンテナ１で受信されたデジタル放送電波がチューナー部２に供給され、選局部３によってユーザーが所望するチャンネルが選択される。これら選択された信号が、信号処理部４にて所定の信号処理が施され、表示装置５で画像が表示される。ここで、信号処理部に供給される信号は、同じく情報データ受信部６に供給され、受信データ処理部７によって、ＲＡＭ１１に格納されうるデータ形式に処理され、受信データ格納部１２に格納される。
【００２９】
また、テレビ視聴ユーザーは、リモコン送信機１５からリモコン受光部を通して、興味を持っているキーワードを登録することが出来る。その登録されたキーワードは、ＲＡＭ１１内のキーワード記憶部１３に格納しておき、受信データ格納部１２で格納されたデータとともに、あらかじめＲＯＭ９に収録されているキーワード検索制御処理プログラム部１０によって、ユーザーが登録したキーワードとデジタル放送から取得したデータとの合致／類似検索を行なう。キーワード検索制御処理部１０で、合致／類似検索を行なった結果、信号処理部４にて、動画のリアルタイム映像とキーワードに合致した静止画像との２画面表示になるよう処理を施し、表示装置５にて表示される。同時に静止画像は、ＲＡＭ１１上の静止画映像格納部１４に収録され、視聴ユーザーの意向により、任意の静止画映像が呼ばれた場合に表示できるようにしておく。また、静止画映像格納部１４に収録された静止画像は、外部機器制御部１８を介し、外部メモリなどの外部記憶装置１９に記憶させることができる。視聴ユーザーからの意向は、リモコン送信機１５からリモコン受光部１６を通して、受け取ることが出来る。それぞれの処理部は、通信バスライン１７を通して、ＣＰＵ８によってシステム制御が行なわれる。
【００３０】
実施例２のテレビジョン受信機は、デジタル放送を受信が可能で、そのデジタル放送信号からデータ信号を取得できるものとし、また、ユーザーは、興味を持っているキーワードを、テレビジョン受信機にあらかじめ設定することが出来る。また、設定したキーワードとデジタル放送から取得したデータとが合致もしくは類似した場合に、そのときの映像を静止画として自動的に画面に表示する。その場合、現映像も引き続き表示するため、ＰｉｎＰやＰｂｙＰなど２画面表示にする。
【００３１】
実施例２のテレビジョン受信機は、外部出力部となる外部機器制御部１８を有しており、外部記憶装置１９に対し、合致又は類似したデータに対応する静止画を出力することができる。
【００３２】
実施例３を説明する。本実施例のテレビジョン受信機は、図５に示すように、実施例２と比較して、通信部２０及び装飾画像処理部２１を備えている点で相違する。
実施例３は、この通信部２０を介してインターネットと接続し、インターネット上の世間の好み、嗜好を表す指標として使用されつつあるランキング化されたキーワード情報を利用することを特徴とするものである。
【００３３】
実施例３のテレビジョン受信機の動作について、図５を用いて説明する。アンテナ１で受信されたデジタル放送電波がチューナー部２に供給され、選局部３によってユーザーが所望するチャンネルが選択される。これら選択された信号が、信号処理部４にて所定の信号処理が施され、表示装置５で画像が表示される。ここで、信号処理部に供給される信号は、同じく情報データ受信部６に供給され、受信データ処理部７によって、ＲＡＭ１１に格納されうるデータ形式に処理され、受信データ格納部１２に格納される。また、通信部２０の制御により、インターネット２２と接続し、インターネット２２上にある最新注目キーワードランキング情報を取得し、これらをＲＡＭ１１内のキーワード記憶部１３に格納しておく。
このようにインターネットからキーワードを取得することにより、ユーザーが予め能動的にキーワードの登録をしなくて済む。加えて、世間一般では流行になっているもののユーザーが知らない流行に関するキーワードを取得することができる。
尚、このような情報を提供しているインターネット上のサイトは、検索ランキングサイトなどとして種々のものが知られている。
【００３４】
ユーザーがテレビ視聴時に、テレビ側では、あらかじめＲＯＭ９に収録されているキーワード検索制御処理プログラム部１０によって、キーワード記憶部１３に格納されたキーワードとデジタル放送から取得した受信データ格納部１２にあるキーワードとの合致／類似検索を行なう。キーワード検索制御処理部１０で、合致／類似検索を行なった結果、信号処理部４にて、動画のリアルタイム映像とキーワードに合致した静止画像との２画面表示になるよう処理を施し、表示装置５にて表示される。
【００３５】
また、同じく合致／類似検索を行なった結果、キーワードと合致した映像が表示された場合に、装飾画像処理部２１で、ふきだし文字や目立たせる装飾などの画像を生成し、その対象となる映像部分に対して、信号処理部４にて本映像と合成し、表示装置５にて表示される。
これにより、ユーザーはユーザー自身が知らない流行であっても、世間一般でどのような事柄が流行しているのかということについてＴＶ画面上の映像という形で情報を得ることができる。
また、映像を装飾することにより、その画面の雰囲気を盛り上げることができる。
【００３６】
静止画像や装飾された画像は、ＲＡＭ１１上の静止画映像／装飾画像格納部１４に収録され、視聴ユーザーの意向により、任意の静止画映像、装飾画像が呼ばれた場合に表示できるようにしておく。また、静止画映像／装飾画像格納部１４に収録された画像は、外部機器制御部１８を介し、外部メモリなどの外部記憶装置１９に記憶させることができる。
【００３７】
実施例３のテレビジョン放送受信機における処理の流れの一例について、図６を用いて説明する。この例は、ユーザーがスポーツ番組を視聴中に、注目キーワードとなっている「△△□□選手」が登場した場合であり、以下３つの方式を行うことができる。
【００３８】
第１の方式は、現映像（図６ａ）であるスポーツ番組を視聴中に、注目キーワードとなっている「△△□□選手」が登場したので、図６（ｂ）に示すように、「△△□□選手」映像部分を装飾して表示する。例えばＸＹ座標入りで「△△□□選手」の表示位置が指定されたデジタル放送電波を受信し、得られたＸＹ座標を使用して装飾部分の位置を決めることができる。
【００３９】
第２の方式は、現映像（図６ａ）であるスポーツ番組を視聴中に、注目キーワードとなっている「△△□□選手」が登場したとき、図６（ｃ）に示すように、画面を２分割した２画面表示モードに移行し、スポーツ番組を現映像として左画面に表示しつづけ、キーワード「△△□□選手」が登場したときの静止画像を右画面に表示する。
【００４０】
第３の方式は、現映像（図６ａ）であるスポーツ番組を視聴中に、注目キーワードとなっている「△△□□選手」が登場したとき、図６（ｄ）に示すように、「△△□□選手」を視認できるように、現映像にふきだし文字を加えて説明して表示する。例えばＸＹ座標入りで「△△□□選手」の表示位置が指定されたデジタル放送電波を受信し、得られたＸＹ座標を使用してふきだし文字の位置を決めることができる。
【００４１】
本実施例のテレビジョン受信機によれば、キーワード入手先情報を基に、例えばインターネットを利用してキーワード入手先と接続し、世間で注目されているキーワードを受取ることにより、世間で注目されている検索キーワードを用いて検索し、実際の映像として視認することができ、また、注目キーワードに対応する映像に装飾を加えたり、ふきだし文字を加えて説明することにより、ユーザーが容易に理解することができる。
【図面の簡単な説明】
【００４２】
【図１】実施例１のテレビジョン放送受信機の内部説明図。
【図２】実施例１のテレビジョン放送受信機の動作の説明図。
【図３】実施例１のテレビジョン放送受信機における静止画が複数の場合の動作の説明図。
【図４】実施例２のテレビジョン放送受信機の内部説明図。
【図５】実施例３のテレビジョン放送受信機の内部説明図。
【図６】実施例３のテレビジョン放送受信機における動作の説明図。
【符号の説明】
【００４３】
１・・・アンテナ、２・・・デジタルチューナ部、３・・・選局部、４・・・映像信号処理部、５・・・映像表示装置、６・・・情報データ受信部、７・・・受信データ処理部、８・・・ＣＰＵ（システム制御）、９・・・ＲＯＭ、１０・・・キーワード検索処理プログラム部、１１・・・ＲＡＭ、１２・・・受信データ格納部、１３・・・キーワード記憶部、１４・・・静止画映像格納部、１５・・・リモコン送信機、１６・・・リモコン受光部、１７・・・通信バスライン、１８・・・外部機器制御部、１９・・・外部記憶装置、２０・・・通信部、２１・・・装飾画像処理部、２２・・・インターネット。
【図１】
2009135882.tif 000003
【図２】
2009135882.tif 000004
【図３】
2009135882.tif 000005
【図４】
2009135882.tif 000006
【図５】
2009135882.tif 000007
【図６】
2009135882.tif 000008